(57)【要約】      （修正有）【課題】ローコストで引抜耐力を向上させることができるフリーアクセスフロアパネル用台座及び支持装置を提供する。【解決手段】下部フロアに立設されたパネル用支柱の上部に装着され、上部フロアを支えるフリーアクセスフロア用台座であって、パネル用支柱の先端に挿入可能な装着筒部２２に横ネジ穴３０を上下２か所に設け、トルク管理した２つの横ネジ３２によりパネル用支柱を締付ける。【選択図】図１
0003205150.tif 000002
【実用新案登録請求の範囲】
【請求項１】
下部フロアに立設されたパネル用支柱の上部に装着され、上部フロアを支えるフリーアクセスフロアパネル用台座であって、
パネル用支柱の先端に挿入可能な装着筒部に設けた横ネジ穴を上下２か所設け、２つの横ネジによるパネル用支柱の締付けを可能としたことを特徴とするフリーアクセスフロアパネル用台座。
【請求項２】
前記横ネジ穴に装着される横ネジによる締付け力のトルク管理をしていることを特徴としている請求項１に記載のフリーアクセスフロアパネル用台座。
【請求項３】
下部フロアと上部フロアとの間でパネル用支柱とこれに装着されるフリーアクセスフロアパネル用台座とからなる支持装置であって、
前記パネル用支柱の突端に装着される前記フリーアクセスフロアパネル用台座の装着筒部に回り止め用の横ネジ穴と、この横ネジ穴に螺着される横ネジとの組み合わせを少なくとも２か所設け、前記横ネジのトルク管理をなすことを特徴とする支持装置。
【考案の詳細な説明】
【技術分野】
【０００１】
本考案はフリーアクセスフロアパネル用台座およびこれを用いた支持装置に係り、特に引抜強度を高めた台座およびこれを用いた支持装置に関する。
【背景技術】
【０００２】
一般に半導体製造エリアのフリーアクセスフロアは二重床構造になっており、図６に示しているように、下部フロア１と上部フロア２との間にはパネル用支柱３が立てられ、このパネル用支柱３の上部に上部フロア２の連結を図るためのフリーアクセスフロアパネル用台座（以下、パネル用台座）４が取り付けられた支持装置５が設けられている。パネル用台座４は、図７〜図８に示しているように、パネル用支柱３の先端を挿入可能な装着筒部６と、４枚のフロアパネル２ａの隅部を支える座板７とを設けた構造を有している。この座板７の上面にはフロアパネル２ａの下面隅部に形成した凹所８に嵌る突起９を４か所設け、フロアパネル２ａ同士の十字形状の突合せ部にて、４枚のフロアパネル２ａを支える構造となっている。そして、パネル用台座４がパネル用支柱３の上部で回転しないように、装着筒部６の側面に形成された横ネジ穴１０に横ネジ１１を取付け、横ネジ１１の締め込みによりパネル用台座４はパネル用支柱３の所定高さで止まって回転止めが行われるようになっている。
【０００３】
このような従来の半導体製造エリアのフリーアクセスフロアのパネル用支柱３とパネル用台座４からなる支持装置５は、そのパネル用台座４をパネル四隅の形成した凹所８にて支持し、フロアパネル２ａに形成した凹所８に突起９を嵌め込み、パネル用台座４に設けた横ネジ１１にて固定されている。
【０００４】
しかし、大地震時には半導体製造装置に転倒力が働くことがあり、転倒力によってフロアパネル２ａが上方に引っ張られ、パネル用台座４に引抜力が作用する。フロアパネル２ａと半導体製造装置は、図示しない固定用金物を介して固定されているため一体化しており、大地震時にはフロアパネル２ａが半導体製造装置とともにパネル用支柱３から引き抜かれることになる。
【０００５】
現状のパネル用台座４は、引抜力への考慮がされておらず、パネル用支柱３のネジ部３ａにかぶせ、パネル天端レベル調整後、横ネジ１１で軽く回転しないように、およそ２．０Ｎ・ｍで留められているだけである。したがって、フロアパネル２ａに引抜力が作用すると、パネル用支柱３からパネル用台座４が抜けてしまう可能性が高いものとなっている。
【０００６】
これに対応するため、フリーアクセスフロアでは、次のようなものが知られている。
（１）パネル用台座の内部にネジが切ってあり、パネル用支柱のネジとネジ結合することで引抜耐力を得る。
（２）図９に示すように、パネル用支柱３に固定した特殊プレート１２とパネル２ａを、ネジ軸１３をもってネジ固定し、引抜耐力を得る。
しかしながら、（１）に対しては、台座を９０度の回転で調整することになり、パネル天端レベルが出しづらくなり、かつ台座のネジ加工費がコストアップとなる。（２）に対しては、特殊プレートを追加するため大きくコストアップする。
【０００７】
また、特許文献１に記載のように、パネル用台座４とフロアパネル２ａをネジ軸で固定するタイプも知られているが、このような方法では同様にパネル用台座４が引き抜かれてしまう。
【先行技術文献】
【特許文献】
【０００８】
【特許文献１】特開２００４−９２１３２号公報
【考案の概要】
【考案が解決しようとする課題】
【０００９】
本考案は、耐震性を考慮していないパネル用台座とパネル支柱との引抜耐力が極めて小さいという問題点をローコストで解決しようとするものである。すなわち、図９に示すパネル用支柱とパネル用台座に取り付けた特殊プレート１２を介してネジ軸１３により連結するような複雑な付加構造とすることがなく、しかも従来の簡易な方法で装着でき、これを低コストで実現できる構造を採用することができるフリーアクセスフロアパネル用台座およびこれを用いた支持装置を提供することを目的とする。
【課題を解決するための手段】
【００１０】
本考案に係るパネル用台座およびこれを用いた支持装置は、次のように構成されている。
まず、本考案のパネル用台座は、下部フロアに立設されたパネル用支柱の上部に装着され、上部フロアを支えるパネル用台座であって、パネル用支柱の先端に挿入可能な装着筒部に設けた横ネジ穴を上下２か所設け、２つの横ネジによるパネル用支柱に対する締付けを可能としたものである。
【００１１】
この場合において、前記横ネジ穴に装着される横ネジによる締付け力のトルク管理（構成部材に適した４．０Ｎ・ｍ）をしていることを特徴としている。
【００１２】
また、本考案に係るフリーアクセスフロアパネル用台座を用いた支持装置は、下部フロアと上部フロアとの間でパネル用支柱とこれに装着されるフリーアクセスフロアパネル用台座とからなる支持装置であって、前記パネル用支柱の突端に装着される前記フリーアクセスフロアパネル用台座の装着筒部に回り止め用の横ネジ穴と、この横ネジ穴に螺着される横ネジとの組み合わせを少なくとも２か所設け、前記横ネジのトルク管理をなすことを特徴としている。
【考案の効果】
【００１３】
本考案では、単に横ネジ穴を付加的に形成し、これに螺合する横ネジを付加するだけで効果を発揮し、更に、そのトルク管理を行うだけで十分な引抜耐力を得ることができる。すなわち、パネル用台座についている横ネジをトルク管理して締めるとともに、台座には通常、横ネジは１本しかないが、もう１本追加し２本としている。これによれば、パネル用台座の固定方法をローコストで改良し、パネル用台座の引抜強度を向上させることができる。このように、従来のパネル用台座に比べ、引抜耐力が向上し、ローコストで引抜耐力を向上させることができる。
【図面の簡単な説明】
【００１４】
【図１】実施形態にかかるパネル用台座の下方から見た斜視図である。
【図２】実施形態にかかるパネル用台座の上方ら見た斜視図である。
【図３】同台座の平面図である。
【図４】同台座の断面図である。
【図５】実施形態にかかるパネル用台座を取付けたフロアパネルの支持装置の部分破損状態の斜視図である。
【図６】従来の下部フロアと上部フロア間を支承する支持装置の正面である。
【図７】従来のパネル用台座の下方から見た斜視図である。
【図８】従来のパネル用台座の上方から見た斜視図である。
【図９】他の従来例に係るフロアパネルの支持装置である。
【考案を実施するための形態】
【００１５】
以下に本考案に係るフリーアクセスフロアのパネル用台座およびこれを用いた支持装置の具体的実施形態を、図面を参照して、詳細に説明する。
この実施形態に係るフリーアクセスフロアパネル用台座（以下パネル用台座）２０は、図１〜図２に示しているように、パネル用支柱３（図６参照）の先端ネジ部３ａを挿入する装着筒部２２と、この装着筒部２２の一端に設けられてフロアパネル２ａ（図６参照）を支持する座板２４とを設けた構造を有している。
【００１６】
座板２４の上面にはフロアパネル２ａ（図６参照）の下面隅部に形成した凹所に嵌る突起２６を４か所設け、フロアパネル２ａ同士の十字形状の突合せ部にて、４枚のフロアパネル２ａを支える構造となっている。また、座板２４の下面部には４辺それぞれに補強用ブラケット２８が設けられ、強度を増している。
【００１７】
一方、装着筒部２２は中空の円筒形状とされ、パネル用台座２０が支柱３の上部で回転しないように、装着筒部２２の側面に形成された横ネジ穴３０に横ネジ３２を取付け、横ネジ３２の締め込みによりパネル用台座４はパネル用支柱３の所定高さで止まって回転止めが行われるようになっている。この実施形態では、当該横ネジ穴３０は上下の異なる位置に２か所設けられ、それぞれに横ネジ３２が螺着できるようになっている。また、横ネジ穴３０を形成するために装着筒部２２の外側面部に厚肉部３４が軸芯方向に沿って形成され、十分な締付けトクルが出せるように配慮されている。
【００１８】
このようなパネル用台座２０は、パネル用支柱３に取り付けられて支持装置３６を構成している。図５にこの様子を示す。パネル用台座２０は、装着筒部２２の開口側をパネル用支柱３の先端ネジ部３ａを差し込み、２段となっている横ネジ穴３０に横ネジ３２を装着し、軽く回転しないように留めておく。先端ネジ部３ａには、予めナット３８が螺着されており、このナット３８には止めネジ４０が付けられ、この止めネジ４０にて回り止めを行っている。
【００１９】
このような支持装置３６では、フロアパネル２ａの４枚の突合せ部に位置するよう、各フロアパネル２ａの凹所８（図６参照）に座板２４の突起２６を嵌合する。そして、パネル天端レベル調整後、ナット３８をパネル用台座２０の下縁を支えるような高さに設定する。ここでナット３８に付帯する止めネジ４０を回してパネル用台座２０のレベルを合わせる。そして、パネル用台座２０の２連の横ネジ３２、３２をそれぞれの横ネジ穴３０に向けて螺進し、一定のトルク値となるように、例えば、構成部材に適した４．０Ｎ・ｍでトルク管理をしておく。
【００２０】
このように、通常は管理対象としていない横ネジ３２のトルク管理を行うことで、パネル用台座２０のパネル用支柱３からの引抜強度が高くなる。そして、実験によれば、パネル用台座２０の横ネジ３２の本数を通常の１本から２本に増やしたことにより、１本の時よりも更にパネル用台座２０の引抜強度が高くなった。横ネジ３２の追加とトルク管理のみで大幅なコスト増とならずに引抜強度が高められる点が優れた改良点である。
【００２１】
本実施形態に係るパネル用台座２０とこれを用いた支持装置３６により、パネル用台座２０がパネル用支柱３から引き抜かれる前に、改良台座自体が破断することが確認された（図５及び下表参照）。
【００２２】
アルミ台座を１として、ねじ１本トルク管理は約３倍、ねじ2本トルク管理は約９倍 という結果が得られた。
【表１】
0003205150.tif 000003
なお、本実施形態では、座板２４に突起２６をつけた構造について説明したが、この突起２６は必ずしも必要ではない。
【符号の説明】
【００２３】
１……下部フロア、２……上部フロア、２ａ……フロアパネル、３……パネル用支柱、４……（フリーアクセスフロア）パネル用台座、５……支持装置、６……装着筒部、７……座板、８……凹所、９……突起、１０……横ネジ穴、１１……横ネジ、１２……特殊プレート、１３……ネジ軸、２０……パネル用台座、２２……装着筒部、２４……座板、２６……突起、２８……ブラケット、３０……横ネジ穴、３２……横ネジ、３４……厚肉部、３６……支持装置、３８……ナット、４０……止めネジ。
【図１】
0003205150.tif 000004
【図２】
0003205150.tif 000005
【図３】
0003205150.tif 000006
【図４】
0003205150.tif 000007
【図５】
0003205150.tif 000008
【図６】
0003205150.tif 000009
【図７】
0003205150.tif 000010
【図８】
0003205150.tif 000011
【図９】
0003205150.tif 000012